(57)【要約】【課題】複数の液晶表示パネルを収納凹部にずれ動くことなく収納できるようにした収納トレイを提供することにある。【解決手段】合成樹脂によって成形されたトレイ本体１と、平面形状が四角形で、トレイ本体の上面に開口して形成されるとともに、内面が深さ方向下端から上端に向かって外方に傾斜したテーパ面１１に形成され内部に複数の液晶表示パネルが積層して収納される複数の収納凹部４と、収納凹部の内面の一部に垂直に形成され収納凹部に収納された液晶表示パネルの外周面を支持して液晶表示パネルが収納凹部内で水平方向にずれ動くのを阻止する垂直支持部１２とを具備する。【選択図】      図１
2006347570.tif 000002
【特許請求の範囲】
【請求項１】
パネル状物品を収納するための収納トレイであって、
合成樹脂によって成形されたトレイ本体と、
平面形状が四角形で、上記トレイ本体の上面に開口して形成されるとともに、内面が深さ方向下端から上端に向かって外方に傾斜したテーパ面に形成され内部に複数の上記パネル状物品が積層して収納される複数の収納凹部と、
この収納凹部の内面の一部に垂直に形成され上記収納凹部に収納されたパネル状物品の外周面を支持して上記パネル状物品が上記収納凹部内で水平方向にずれ動くのを阻止する垂直支持部と
を具備したことを特徴とするパネル状物品の収納トレイ。
【請求項２】
上記収納凹部の４つの側壁のうちの少なくとも対向する一対の側壁の内面に上記垂直支持部が形成されていることを特徴とする請求項１記載のパネル状物品の収納トレイ。
【請求項３】
上記トレイ本体は上側に向かって凸状に湾曲形成されていて、各収納凹部に収納されるパネル状物品の重量によって平坦に弾性変形することを特徴とする請求項１記載のパネル状物品の収納トレイ。
【請求項４】
隣り合う収納凹部を隔別した壁部には、各収納凹部に収納されたパネル状物品の幅方向両端を手指で挟持することを可能とする溝部が形成されていることを特徴とする請求項１記載のパネル状物品の収納トレイ。
【請求項５】
上記トレイ本体の下面には、複数のトレイ本体を積み重ねたときに、下側のトレイ本体の収納凹部に積層収納されたパネル状物品が上記収納凹部内から浮き上がるのを制限する保持部が形成されていることを特徴とする請求項１記載のパネル状物品の収納トレイ。
【発明の詳細な説明】
【技術分野】
【０００１】
この発明は組立工程などで取り扱われるパネル状物品を収納するために用いられる収納トレイに関する。
【背景技術】
【０００２】
たとえば携帯電話機の組立工程では、電話機の本体にパネル状物品である、液晶表示パネルを組み込む工程がある。液晶表示パネルはガラス面に傷が付き易いなどのことがあるため、取り扱いには注意が要求されており、通常は収納トレイに形成された収納凹部に収納して取り扱われる。
【０００３】
上記収納トレイは、ポリプロピレンなどの合成樹脂によって真空成形されたトレイ本体を有する。トレイ本体には複数の上記液晶表示パネルが収納される収納凹部が行列状に形成される。
【０００４】
液晶表示パネルを収納するための収納凹部を有するトレイ本体を真空成形する場合、成形後に、トレイ本体を金型から容易に離型させることができるようにするため、上記収納凹部の内面を外方に向かって傾斜したテーパ面に形成していた。
【０００５】
収納凹部の内面がテーパ面に形成されていると、収納凹部の内径寸法が上方に行くにつれて上記液晶表示パネルの外形寸法よりも大きくなる。そのため、上記収納凹部に複数の液晶表示パネルを積層して収納すると、収納凹部内で液晶表示パネルがずれ動きやすくなるため、上下の液晶表示パネルが互いに擦れ合って傷が付くということがあった。
【０００６】
そこで、従来はトレイ本体に形成される収納凹部を１枚の液晶表示パネルが収納できる深さとし、それぞれの収納凹部に液晶表示パネルを１枚づつ収納するということが行なわれていた。
【発明の開示】
【発明が解決しようとする課題】
【０００７】
しかしながら、１つの収納凹部に液晶表示パネルを１枚だけ収納するようにしたのでは、１つの収納トレイに収納できる液晶表示パネルの数を多くすることができない。そのため、たとえば組立工程では取り扱う収納トレイの数が非常に多くなるため、その収納トレイの取り扱いに多くの手間が掛かり、作業の能率向上に影響を及ぼすということがあった。
【０００８】
この発明は、真空成形されるトレイ本体の離型性を損なうことなく、複数のパネル状物品をずれ動くことなく積層して収納できるようにしたパネル状物品の収納トレイを提供することにある。
【課題を解決するための手段】
【０００９】
この発明は、パネル状物品を収納するための収納トレイであって、
合成樹脂によって成形されたトレイ本体と、
平面形状が四角形で、上記トレイ本体の上面に開口して形成されるとともに、内面が深さ方向下端から上端に向かって外方に傾斜したテーパ面に形成され内部に複数の上記パネル状物品が積層して収納される複数の収納凹部と、
この収納凹部の内面の一部に垂直に形成され上記収納凹部に収納されたパネル状物品の外周面を支持して上記パネル状物品が上記収納凹部内で水平方向にずれ動くのを阻止する垂直支持部と
を具備したことを特徴とするパネル状物品の収納トレイにある。
【００１０】
上記収納凹部の４つの側壁のうちの少なくとも対向する一対の側壁の内面に上記垂直支持部が形成されていることが好ましい。
【００１１】
上記トレイ本体は上側に向かって凸状に湾曲形成されていて、各収納凹部に収納されるパネル状物品の重量によって平坦に弾性変形することが好ましい。
【００１２】
隣り合う収納凹部を隔別した壁部には、各収納凹部に収納されたパネル状物品の幅方向両端を手指で挟持することを可能とする溝部が形成されていることが好ましい。
【００１３】
上記トレイ本体の下面には、複数のトレイ本体を積み重ねたときに、下側のトレイ本体の収納凹部に積層収納されたパネル状物品が上記収納凹部から浮き上がるのを制限する保持部が形成されていることが好ましい。
【発明の効果】
【００１４】
この発明によれば、収納凹部の内壁面をテーパ面に形成するとともに、その内壁面の一部だけに垂直支持部を形成するため、真空成形されたトレイ本体の離型性をほとんど損なうことなくトレイ本体を成形することが可能であり、しかも上記垂直支持部によって収納凹部に積層収納された複数のパネル状物品が水平方向にずれ動くのを防止することが可能となる。
【発明を実施するための最良の形態】
【００１５】
以下、この発明の一実施の形態を図面を参照して説明する。
【００１６】
図１はトレイ本体１の平面図であり、図２は側面図である。トレイ本体１はポリプロピレンなどの比較的軟質で弾力性を有する合成樹脂によって真空成形されている。すなわち、トレイ本体１は平面形状が矩形状の上部壁２を有し、この上部壁２の外周縁には全長にわたって周壁３が一体形成されている。この周壁３の下端には図４に示すようにフランジ３ａが形成されている。上記上部壁２には複数、この実施の形態では１列に５個の収納凹部４が２列に形成されている。つまり、合計１０個の収納凹部４がトレイ本体１の上面に開口して形成されている。  
なお、収納凹部４は図５に示すようにパネル状物品としての複数の液晶表示パネルＰ、たとえば１０枚の液晶表示パネルＰを積層して収納できる深さに形成されている。各収納凹部４の底壁１４には液晶表示パネルＰの収納方向を指示するための矢印５（図１に示す）が形成されている。
【００１７】
各収納凹部４は、真空成形時にポリプロピレン製のシートが金型（ともに図示せず）に形成されたキャビティー内に吸引されて成形される。その際、加熱時間、加熱温度等の成形条件を調整することにより、複数の収納凹部４を有する上部壁２を、トレイ本体１の長手方向及び幅方向中央に向かって上方に凸になるよう湾曲させることができる。トレイ本体１の長手方向の湾曲を図２に鎖線Ｓで示す。なお、幅方向は図示していないが、長手方向と同様に湾曲している。
【００１８】
トレイ本体１の長手方向の寸法を４００ｍｍ、幅方向の寸法を２００ｍｍとすると、図２にｈで示すトレイ本体１の上部壁２の中央部の湾曲による上方への浮き上がり寸法は３〜５ｍｍ程度になるよう、真空成形時の条件が設定される。それによって、上方に凸に湾曲したトレイ本体１の上部壁２は中央部が下方に向かって弾性的に変形可能となっている。
【００１９】
トレイ本体１の周壁３には、周壁３の内面側に突出する突出部６が周方向に所定間隔で形成されている。上記突出部６は周壁３の外周面から見ると凹状となっていて、各突出部６の幅方向一側には上面及び外周面に開放した段差部７が隣接して形成されている。
【００２０】
複数のトレイ本体１を、下側のトレイ本体１に対して上側のトレイ本体１を水平方向に１８０度回転させて積み重ねると、下側のトレイ本体１の段差部７に上側のトレイ本体１の突出部６の下端部が係合する。それによって、複数のトレイ本体１を上下方向に所定間隔で、かつ水平方向にずれ動くことがないよう積み重ねることができるようになっている。
【００２１】
トレイ本体１の上部壁２に形成された上記収納凹部４は、平面形状がトレイ本体１の幅方向に沿って細長い矩形状であって、その内面は図３（ａ）〜（ｃ）に示すように下端から上端に向かって外方に傾斜したテーパ面１１に形成されている。テーパ面１１がなす収納凹部４の矩形形状は、この収納凹部４に収容される、パネル状物品としての液晶表示パネルＰの外形状よりもわずかに大きく設定されている。
【００２２】
上記収納凹部４の４つの側面である、各テーパ面１１にはそれぞれ垂直面１２ａを有する一対の垂直支持部１２が上下方向に沿って形成されている。つまり、垂直支持部１２は収納凹部４内に突出して形成されていて、これらの垂直面１２ａを結んで形成される矩形は図３（ａ）〜（ｃ）に鎖線で示す上記液晶表示パネルＰの外形状とほぼ同じ大きさになるよう設定されている。
【００２３】
したがって、収納凹部４に積層して収納される液晶表示パネルＰは、その４つの外周面がそれぞれ上記垂直支持部１２の垂直面１２ａに当たって支持されるようになっている。なお、垂直面１２ａは、図３（ｂ）、（ｃ）に示すように高さ方向の上端部のわずかな部分、つまり所定枚数の液晶表示パネルＰを収納凹部４に積層収納したときに、最上段の液晶表示パネルＰから外れる上端部が外方に向かって傾斜したテーパ部１２ｂに形成されている。それによって、液晶表示パネルＰを収納凹部４に出し入れし易くしている。
【００２４】
図３（ａ）、（ｃ）に示すように、上記収納凹部４の底壁１４の長手方向一端部には上面側に突出する突条１５が幅方向に沿って形成され、他端部には下面側に突出した、保持部としての凹条１６が幅方向に沿って形成されている。
【００２５】
収容凹部４に収容される最下段の液晶表示パネルＰは、長手方向の一端部の下面が上記突条１５によって支持され、他端部の下面が上記底壁１４に上記突条１５と同じ高さで形成された支持部１７によって支持される。この支持部１７は図３（ａ）に示すように収納凹部４の底壁１４の突条１５側の一側を除く三側にわたって形成されている。
【００２６】
図５に示すように複数のパネル本体１を積み重ねると、下側のパネル本体１の収納凹部４に積層収納された最上段の液晶表示パネルＰの上面には、上側のパネル本体１の収納凹部４の底壁１４に下方に向かって突出形成された凹条１６の下面１６ａがわずかな間隔を介して対向する。それによって、下側のパネル本体１の収納凹部４に積層収納された液晶表示パネルＰが上方へ浮き上がるのが制限される。
【００２７】
図１に示すように、上記パネル本体１の長手方向において隣り合う収納凹部４を隔別した上部壁２の仕切り部１９には、隣り合う収納凹部４の幅方向一側を連通させる第１の溝部２１が形成され、さらに両端に位置する収納凹部４の他側にも第１の溝部２１が形成されている。
【００２８】
上記パネル本体１の幅方向において隣り合う収納凹部４を隔別した仕切り部２０には、隣り合う収納凹部４の長手方向一側を連通させる第２の溝部２２が形成され、さらに各収納凹部４の長手方向他側にも第２の溝部２２が形成されている。
【００２９】
各溝部２１，２２の下面は収納凹部４内の底壁１４よりも下方に突出して保持部となっていて、図５に示すように複数のトレイ本体１を重ねたときに、第１の溝部２１と第２の溝部２２の幅方向両端部下面２１ａ、２２ａが下側のトレイ本体１の収納凹部４に積層された最上段の液晶表示パネルＰの周辺部上面にわずかな間隔を介して対向する。それによって、収納凹部４に積層収納された液晶表示パネルＰが上下方向に動くのを制限するようになっている。
【００３０】
さらに、パネル本体１の上部壁２及び側壁３には、図１と図２に示すように複数の補強用のリブ２４が形成されている。  
なお、図２にｈで示すトレイ本体１の上部壁２ａの浮き上がり寸法は、パネル本体１の中央部の第２の溝部２２の下面と、パネル本体１の周壁３の下端との高さ寸法の差に等しくなっている。したがって、上部壁２ａは上記寸法ｈの分だけ下方へ弾性的に変形可能となっている。
【００３１】
このように構成された収納トレイによれば、収納凹部４の内面をテーパ面１１とし、そのテーパ面１１の一部に垂直面１２ａを有する垂直支持部１２を形成するようにしている。そのため、真空成形されたトレイ本体１を金型から離型する際、離型時の抵抗となる垂直面１２ａが収納凹部４の内周面全体に比べてわずかであるから、上記トレイ本体１の離型を比較的容易に、しかも成形されたトレイ本体１を変形させるようなことなく行なうことが可能となる。
【００３２】
しかも、各収納凹部４を形成した仕切り壁１９，２０には第１、第２の溝部２１，２２を形成した。そのため、これら溝部２１，２２によって収納凹部４の内面の面積を少なくすることができるから、そのことによっても真空成形されたトレイ本体１の離型を容易に行なうことができる。
【００３３】
収納凹部４に垂直面１２ａを有する垂直支持部１２を形成したことで、収納凹部４に積層収納された液晶表示パネルＰはその外周面が上記垂直面１２ａによって確実に支持される。そのため、収納凹部４に積層収納された液晶表示パネルＰが搬送中などに収納凹部４内で水平方向にずれ動くことがないから、各液晶表示パネルＰの重なり合った面が傷付くのが防止される。
【００３４】
トレイ本体１は、真空成形時の吸引力を調整することで、上部壁２が上方に向かって凸となるよう湾曲成形されている。そのため、各収納部４に液晶表示パネルＰを収納すると、その液晶表示パネルＰに重量によって上方に向かって湾曲した上部壁２が水平になるよう弾性的に変形する。
【００３５】
上部壁２が水平方向に変形すると、各収納凹部４に設けられた垂直支持部１２の垂直面１２ａが収納凹部４の内方に向かって倒れてくる。そのため、液晶表示パネルＰの外周面は上記垂直面１２ａによってさらに確実に支持されるから、そのことによっても液晶表示パネルＰが水平方向にずれ動き難くなる。
【００３６】
パネル本体１の長手方向に隣り合う収納凹部４を隔別した仕切り部１９には、各収納凹部４の幅方向両側に位置する第１の溝部２１を形成した。そのため、各収納凹部４に液晶表示パネルＰを出し入れする際、液晶表示パネルＰの幅方向両端を挟持した手指が上記第１、第２の溝部２１，２２に入り込むから、上記収納凹部４に対する液晶表示パネルＰの出し入れを容易に行なうことができる。
【００３７】
複数のトレイ本体１を積み重ねると、上側に位置するトレイ本体１の上部壁２の仕切り部１９，２０に形成された第１、第２の溝部２１，２２の下面２１ａ，２２ａ及び凹条１６の下面１６ａが、下側のトレイ本体１の収納凹部３に積層収納された最上段の液晶表示パネルＰの周辺部上面にわずかな隙間を介して離間対向する。
【００３８】
そのため、複数のトレイ本体１を積み重ねた状態で搬送する場合、第１、第２の溝部２１，２２によって下側のトレイ本体１の収納凹部４に収容された液晶表示パネルＰが上下方向に動くのが制限されるから、そのことによっても収納凹部４に積層収納された液晶表示パネルＰが傷付くのを防止することができる。
【００３９】
上記一実施の形態では収納凹部４の４つの側壁内面にそれぞれ２つの垂直支持部１２を設けたが、４つの内面にそれぞれ１つの垂直支持部１２を形成するようにしてもよく、また４つの側壁のうちの対向する一対の側壁内面にだけ垂直支持部１２を形成するようにしてもよい。その場合、収納凹部４に収納された液晶表示パネルＰが水平方向に回転しないよう、対向する一対の側壁内面の少なくとも一方に２つの垂直支持部１２を設けることが好ましい。
【図面の簡単な説明】
【００４０】
【図１】この発明の一実施の形態の収納トレイを示す平面図。
【図２】図１に示す収納トレイの側面図。
【図３】収納トレイに形成された収納凹部の１つを拡大して示す三面図。
【図４】トレイ本体の周辺部を示す断面図。
【図５】２枚の収納トレイを積み重ねたときの収納凹部を示す拡大断面図。
【符号の説明】
【００４１】
１…トレイ本体、２…上部壁、３…周壁、４…収納凹部、１１…テーパ面、１２…垂直支持部、１２ａ…垂直面、１５…突条、１６…凹条（保持部）、１９，２０…仕切り壁、２１，２２…溝部（保持部）。
【図１】
2006347570.tif 000003
【図２】
2006347570.tif 000004
【図３】
2006347570.tif 000005
【図４】
2006347570.tif 000006
【図５】
2006347570.tif 000007